(57)【要約】      （修正有）【課題】操作性を向上でき、きめ細かな設定を可能として即応性に優れ、安全性が充分になるエンジンのスロットルレバー装置を提供する。【解決手段】固定レバー５Ａと取付ベース１の対向面の一方に突起１０と、他方には突起が移動可能に挿入されて係止可能な係止壁面１１を内側端に有する係止受け部１２とよりなり、固定レバーの回動範囲を規定する第１係止手段１３が設けられ、固定レバーと補助レバー９との対向面の一方に設けた突起１４と、他方には突起が係止可能に設けられた係止壁面１５を内側端に有する係止受け部２１と、よりなり、補助レバーが固定レバーと一緒に連繋してアイドル位置と高速位置との間を回動可能に設けられ、補助レバーが任意の位置でエンジンの高速回転側に単独で回動可能になる第２係止手段１６が設けられた。【選択図】図１
2011027086.tif 000002
【特許請求の範囲】
【請求項１】
刈払機のハンドルまたはハンドル近くに取付けられる取付ベースと、前記取付ベースにばね材の弾性押圧力を介して軸体により回転可能に軸着される操作レバーと、スロットルワイヤーのインナーワイヤーが捲き回される胴部を有し、前記インナーワイヤーの先端部が固着されるタイコを備えた刈払機におけるエンジンのスロットルレバー装置において、
前記操作レバーが固定レバーであり、
前記取付ベースと前記固定レバーとの間に重合して配設され、常時エンジンの低速側に附勢される補助レバー、および前記固定レバーが、共用の前記軸体により前記取付ベースに回動可能に設けられ、
前記固定レバーと前記取付ベースとの対向面には、前記固定レバーと前記取付ベースとの対向面の何れか一方に設けられた突起と、他方には前記突起が移動可能に挿入され且つ前記突起が係止可能な係止壁面を左右の内側端に設けた係止受け部と、よりなり、前記固定レバーの回動範囲を規定する第１係止手段が設けられ、
前記固定レバーと前記補助レバーとの対向面には、前記固定レバーと前記補助レバーとの対向面の何れか一方に設けられた突起と、他方には前記突起が移動可能に挿入され且つ前記突起が係止可能な係止壁面を左右の内側端に設けた係止受け部、よりなり、
前記補助レバーが前記固定レバーと一緒に連繋してアイドル位置と高速位置との間を回動可能に設けられるとともに、前記補助レバーが任意の位置でエンジンの高速側に単独で回動可能になる第２係止手段が設けられている
ことを特徴とする刈払機におけるエンジンのスロットルレバー装置。
【請求項２】
前記第１係止手段が、前記取付ベースに前記軸体を取付けるために設けられた略筒状の軸受け部材の上面外周に突出する第１係止突起部と、前記固定レバーの基体凹部の中心部近傍に設けられて前記第１係止突起部が係止可能な前記係止壁面を左右の内側端に有する略扇形の切欠き部と、により構成されていることを特徴とする請求項１に記載の刈払機におけるエンジンのスロットルレバー装置。
【請求項３】
前記第２係止手段が、前記補助レバーの略環状の基体部の上面外周に突出された第２係止突起部と、前記固定レバーの対応個所に設けられて前記第２係止突起部が係止可能な前記係止壁面を内端に有する略円弧状の案内溝と、により構成されていることを特徴とする請求項１に記載の刈払機におけるエンジンのスロットルレバー装置。
【請求項４】
前記第１係止手段の前記第１係止突起部、および前記切欠き部は、軸周りに数対が設けられていることを特徴とする請求項１−３の何れか１項に記載の刈払機におけるエンジンのスロットルレバー装置。
【請求項５】
前記第２係止手段の前記第２係止突起部、および前記案内溝は、軸周りに数対が設けられていることを特徴とする請求項１−４の何れか１項に記載の刈払機におけるエンジンのスロットルレバー装置。
【発明の詳細な説明】
【技術分野】
【０００１】
本発明は刈払機におけるエンジンのスロットルレバー装置に関し、ハンドルまたはハンドル近くに取付けられる取付ベースに重合して軸着された固定レバーと、スロットルワイヤーを介してエンジンと接続された補助レバーとを協働して回動操作され、負荷が増大するのに対応して、補助レバーをエンジンの高速運転側に単独に回動操作されるようにしてエンジンの回転を上げるようにして、疲労がなく、操作性を向上するとともに、きめ細かな設定を可能として即応性に優れ、さらには、安全性を確保するのにある。
【背景技術】
【０００２】
従来、刈払機のように、野外に携行し、小型のエンジンの駆動力を利用して作業を行うようにした作業機械において、スロットルレバー装置を操作することにより、エンジンの回転数の調整が行われていた。この際、スロットル開度が一定の場合、エンジン回転は負荷の増加に伴い低下する。この時、エンジン回転が低下すると、草が刈り難くなったり、鋸刃に草が巻き付き易くなったりして作業性が悪くなる。しかも、鋸刃に草が巻き付いた場合、鋸刃から草を取り外すには、作業を一端中断しなければならず、作業には多くの時間と手間がかかり、大変であった。また、エンジンを停止しないで、作業を継続する作業者も多く、この場合には大変な危険をはらむものであった。
【０００３】
作業性の効率化を重視する観点から、負荷が増加した場合でもエンジンの回転を低下させないためには、スロットルレバーを操作してエンジン出力を上げる必要がある。そして、作業中に負荷が減少すると、エンジンの回転が上がってしまうため、再度スロットルレバーを操作し、エンジンの回転を下げる必要がある。負荷は、草の背丈の高低、草が密生しているか、まばらに生えているか否か、草が硬いか、柔らかいか等、また同様な作業場所においても様々に異なる。
【０００４】
ところで、エンジンの回転数を調整するためのスロットルレバー装置には、従来、ハンドルまたはハンドル近くに取付けられる取付台に板ばねを介してレバーを有する溝車が回転可能に軸支され、スロットルワイヤーの一端をレバーの溝車にタイコを介して取付け、ワイヤーチューブはグリップの一側部に固定され、スロットルレバーを引くことにより、エンジンの回転を上げるようにし、スロットルレバーを板ばねの弾発力により操作位置に保持するようにするものがあった（特許文献１参照）。
【０００５】
また、刈払い機等のエンジンのスロットルレバー装置の他の従来例として、エンジン制御用の操作グリップに対し、弦捲ばねにより反時計方向に常時ばね付勢されるスロットルレバーと、前記スロットルレバーに係脱するロックレバーとを互いに反対側に設け、ロックレバーの支軸より先端部に設けられる係止片に第１の係止部が係脱可能になるロックレバーの近傍に設けられてスロットルレバーをハーフスロットル位置に保持するロック釦をそれぞれ操作グリップの中心側に押込み操作可能に設け、ロックレバーとロック釦とを一体に形成するとともに、ロックレバーとロック釦とを弾性手段を介して常時操作グリップの外方に突出するように付勢した構成のものがある。
【０００６】
そして、ロックレバーの先端部に設けられる係止片にスロットルレバーの第１の係止部が係止されることにより、スロットルレバーの時計方向の回転を拘束し、スロットルレバーの押し込み操作を阻止する。また、ロックレバーの握り部を押込み操作して反時計方向に回動させることにより、ロックレバーの係止片から第１の係止部の係止を解き、スロットルレバーを押込み操作可能とし、スロットルワイヤーを牽引可能としてエンジンの回転数を制御する。そして、スロットルレバーをハーフスロットルを越える位置まで押し込むことにより、ロック釦の係止突部をスロットルレバーの第２の係止部に係止させ、スロットルレバーをハーフスロットル位置に保持させる。さらに、スロットルレバーを押込み操作することにより、ロック釦の係止突部と、スロットルレバーの第２の係止部との係止を解除させ、スロットルレバーの操作を行い、エンジンの回転を制御するものがあった（特許文献２参照）。
【先行技術文献】
【特許文献】
【０００７】
【特許文献１】実開平５−５９５１３号公報
【特許文献２】特開平９−２９６７３９号公報
【発明の概要】
【発明が解決しようとする課題】
【０００８】
しかしながら、特許文献１に記載のスロットルレバー装置は、ハンドルまたはハンドル近くに取付けられる取付台に板ばねを介してレバーを有する溝車が回転可能に軸支され、スロットルワイヤーの一端をレバーの溝車にタイコ（緊結子）を介して取付け、ワイヤーチューブはグリップの一側部に固定され、スロットルレバーを引くことにより、エンジンの回転を上げるようにし、スロットルレバーを板ばねの弾発力により操作位置に保持するようにする構造なので、スロットルレバーは任意の回動操作位置に保持できるため、作業者はスロットルレバーを絶えず握っている必要がなく、手が疲れ難いという利点があるが、反面、スロットルレバーをエンジンの回転数を上げるために、回動操作する場合に、スロットルレバーから手を離してもスロットルレバーを保持できる程度まで板ばねの押圧力を強く設定しなければならず、スロットルレバーによるきめ細かな回動操作や微調整がし難いという欠点がある。
【０００９】
また、特許文献２に記載の刈払い機等のエンジンのスロットルレバー装置の他の従来例は、エンジン制御用の操作グリップに対し、弦捲ばねにより反時計方向に常時ばね付勢されるスロットルレバーと、前記スロットルレバーに係脱するロックレバーとを互いに反対側に設け、ロックレバーの支軸より先端部に設けられる係止片に第１の係止部が係脱可能になるロックレバーの近傍に設けられてスロットルレバーをハーフスロットル位置に保持するロック釦をそれぞれ操作グリップの中心側に押込み操作可能に設け、ロックレバーとロック釦とを一体に形成するとともに、ロックレバーとロック釦とを弾性手段を介して常時操作グリップの外方に突出するように付勢した構成なので、エンジンの回転数を上げるために、スロットルレバーは自由に回動操作され、煩雑な操作や微調整がし易い反面、運転中では、絶えずスロットルレバーを弦巻ばねの付勢力に抗して握り込んでいる必要があるので、操作にあたり、手が疲れ易く、しかも、スロットルレバーを中間位置で保持させておくのが難しいという欠点があった。
【００１０】
本発明は上記従来の欠点を解決し、ハンドルまたはハンドル近くに取付けられる取付ベースに固定レバーと、補助レバーとを重合して回動可能に備え、そして、アイドル位置から高速位置との間を固定レバーと、補助レバーとが協働して回動操作が行えるとともに、負荷が増大するのに対応して補助レバーをエンジンの高速側に単独に回動操作されるようにして疲労がなく、操作性を向上するとともに、きめ細かな設定を可能として即応性に優れる刈払機におけるエンジンのスロットルレバー装置を提供することを目的とする。
【課題を解決するための手段】
【００１１】
本発明の請求項１に記載の発明は、刈払機のハンドルまたはハンドル近くに取付けられる取付ベースと、前記取付ベースにばね材の弾性押圧力を介して軸体により回転可能に軸着される操作レバーと、スロットルワイヤーのインナーワイヤーが捲き回される胴部を有し、前記インナーワイヤーの先端部が固着されるタイコを備えた刈払機におけるエンジンのスロットルレバー装置において、
前記操作レバーが固定レバーであり、
前記取付ベースと前記固定レバーとの間に重合して配設され、常時エンジンの低速側に附勢される補助レバー、および前記固定レバーが、共用の前記軸体により前記取付ベースに回動可能に設けられ、
前記固定レバーと前記取付ベースとの対向面には、前記固定レバーと前記取付ベースとの対向面の何れか一方に設けられた突起と、他方には前記突起が移動可能に挿入され且つ前記突起が係止可能な係止壁面を左右の内側端に設けた係止受け部と、よりなり、前記固定レバーの回動範囲を規定する第１係止手段が設けられ、
前記固定レバーと前記補助レバーとの対向面には、前記固定レバーと前記補助レバーとの対向面の何れか一方に設けられた突起と、他方には前記突起が移動可能に挿入され且つ前記突起が係止可能な係止壁面を左右の内側端に設けた係止壁面と、よりなり、前記補助レバーが前記固定レバーと一緒に連繋してアイドル位置と高速位置との間を回動可能に設けられるとともに、前記補助レバーが任意の位置でエンジンの高速側に単独で回動可能になる第２係止手段が設けられている
ことを特徴とする。
【００１２】
また、本発明の請求項２に記載の発明は、請求項１において前記第１係止手段が、前記取付ベースに前記軸体を取付けるために設けられた略筒状の軸受け部材の上面外周に突出する第１係止突起部と、前記固定レバーの基体凹部の中心部近傍に設けられて前記第１係止突起部が係止可能な前記係止壁面を左右の内側端に有する略扇形の切欠き部と、により構成されていることを特徴とする。
【００１３】
また、本発明の請求項３に記載の発明は、請求項１において前記第２係止手段が、前記補助レバーの略環状の基体部の上面外周に突出された第２係止突起部と、前記固定レバーの対応個所に設けられて前記第２係止突起部が係止可能な前記係止壁面を内端に有する略円弧状の案内溝と、により構成されていることを特徴とする。
【００１４】
また、本発明の請求項４に記載の発明は、請求項１−３の何れか１項において前記第１係止手段の前記第１係止突起部、および前記切欠き部は、軸周りに数対が設けられていることを特徴とする。
【００１５】
また、本発明の請求項５に記載の発明は、請求項１−４の何れか１項において前記第２係止手段の前記第２係止突起部、および前記案内溝は、軸周りに数対が設けられていることを特徴とする。
【発明の効果】
【００１６】
本発明の請求項１に記載の発明によれば、刈払機のハンドルまたはハンドル近くに取付けられる取付ベースと、前記取付ベースにばね材の弾性押圧力を介して軸体により回転可能に軸着される操作レバーと、スロットルワイヤーのインナーワイヤーが捲き回される胴部を有し、前記インナーワイヤーの先端部が固着されるタイコを備えた刈払機におけるエンジンのスロットルレバー装置において、前記操作レバーが固定レバーであり、前記取付ベースと前記固定レバーとの間に重合して配設され、常時エンジンの低速側に附勢される補助レバー、および前記固定レバーが、共用の前記軸体により前記取付ベースに回動可能に設けられ、前記固定レバーと前記取付ベースとの対向面には、前記固定レバーと前記取付ベースとの対向面の何れか一方に設けられた突起と、他方には前記突起が移動可能に挿入され且つ前記突起が係止可能な係止壁面を左右の内側端に設けた係止受け部と、よりなり、前記固定レバーの回動範囲を規定する第１係止手段が設けられ、前記固定レバーと前記補助レバーとの対向面には、前記固定レバーと前記補助レバーとの対向面の何れか一方に設けられた突起と、他方には前記突起が移動可能に挿入され且つ前記突起が係止可能な係止壁面を左右の内側端に設けた係止壁面と、よりなり、前記補助レバーが前記固定レバーと一緒に連繋してアイドル位置と高速位置との間を回動可能に設けられるとともに、前記補助レバーが任意の位置でエンジンの高速側に単独で回動可能になる第２係止手段が設けられているので、前記取付ベースと前記固定レバーとの対向面の何れか一方に設けられた第１係止手段の左右何れかの係止壁面に、取付ベースと固定レバーとの対向面の何れか他方に設けられた突起が係止されるまでの、アイドル位置、アイドル位置から高速位置、また、高速位置、高速位置からアイドル位置へと固定レバーを位置させたり、軸体を中心に回動操作した場合に、この固定レバーに回動可能に重合されて共用の軸体により取付ベースに回動可能に設けられた補助レバーは、前記固定レバーと前記補助レバーとの対向面の何れか一方に設けられた第２の係止手段の突起が、前記固定レバーと前記補助レバーとの対向面の何れか他方に設けられた左右の係止壁部の何れかに係止するまでの、アイドル位置、アイドル位置から高速位置、また、高速位置、高速位置からアイドル位置へと一緒に連繋して位置されたり、回動操作をすることができる。そして、負荷が増大してエンジンの回転数が低下した場合には、負荷が増大するのに対応して補助レバーをエンジンの高速側に単独に回動操作するという簡単かつ確実な操作により、容易かつ迅速にエンジンの回転を上げることができ、操作性を向上できるとともに、きめ細かな設定を可能として即応性に優れ、微調整も容易に行える。しかも、固定レバーは作業時の回転数を常時維持するため、特許文献２に記載の従来の刈払い機等のエンジンのスロットルレバー装置のように、スロットルレバーを常時、握り込む必要がないので、手には疲労は生じない。
【００１７】
また、本発明の請求項２に記載の発明によれば、請求項１において前記第１係止手段が、前記取付ベースに前記軸体を取付けるために設けられた略筒状の軸受け部材の上面外周に突出する第１係止突起部と、前記固定レバーの基体凹部の中心部近傍に設けられて前記第１係止突起部が係止可能な前記係止壁面を左右の内側端に有する略扇形の切欠き部と、により構成されているので、固定レバーの基体凹部の中心部近傍に設けられた略扇形の切欠き部の左右の内側端に有する係止壁面に、取付ベースに前記軸体を取付けるために設けられた略筒状の軸受け部材の上面外周に突出する第１係止突起部が係止されるまで固定レバーは、アイドル位置、アイドル位置から高速位置、また、高速位置、高速位置からアイドル位置へと位置されたり、軸体を中心に回動操作される。
【００１８】
また、本発明の請求項１に記載の発明によれば、請求項３において前記第２係止手段が、前記補助レバーの略環状の基体部の上面外周に突出された第２係止突起部と、前記固定レバーの対応個所に設けられて前記第２係止突起部が係止可能な前記係止壁面を内端に有する略円弧状の案内溝と、により構成されているので、補助レバーの略環状の基体部の上面外周に突出された第２係止突起部が、固定レバーの対応個所に設けられた略円弧状の案内溝の左右の係止壁面に係止するまで、補助レバーは、固定レバーがアイドル位置、アイドル位置から高速位置、また、高速位置、高速位置からアイドル位置へと位置されたり、軸体を中心に回動操作されるのと連繋してアイドル位置、アイドル位置から高速位置、また、高速位置からアイドル位置へと位置されたり、軸体を中心に回動操作される。
【００１９】
また、本発明の請求項４に記載の発明によれば、請求項１−３の何れか１項において前記第１係止手段の前記第１係止突起部、および前記切欠き部は、軸周りに数対が設けられているので、固定レバーの基体凹部の中心部近傍に設けられた略扇形の切欠き部の左右の内側端に有する係止壁面に、取付ベースに前記軸体を取付けるために設けられた略筒状の軸受け部材の上面外周に突出する第１係止突起部が係止されるまで、固定レバーは、アイドル位置、アイドル位置から高速位置、また、高速位置、高速位置からアイドル位置へと位置されたり、軸体を中心に安定にかつ確実に回動操作される。
【００２０】
また、本発明の請求項５に記載の発明によれば、請求項１−４の何れか１項において前記第２係止手段の前記第２係止突起部、および前記案内溝は、軸周りに数対が設けられているので、補助レバーの略環状の基体部の上面外周に突出された第２係止突起部が、固定レバーの対応個所に設けられた略円弧状の案内溝の左右の係止壁面に係止するまで、補助レバーは、固定レバーがアイドル位置、アイドル位置から高速位置、また、高速位置、高速位置からアイドル位置へと位置されたり、軸体を中心に回動操作されるのと連繋してアイドル位置、アイドル位置から高速位置、また、高速位置からアイドル位置へと位置されたり、軸体を中心に安定かつ確実に回動操作される。
【図面の簡単な説明】
【００２１】
【図１】図１は本発明の刈払機におけるエンジンのスロットルレバー装置の実施形態を示す拡大分解斜視図である。
【図２】図２は同じく組付状態を示す拡大断面図である。
【図３】図３は同じく刈払機に取付けた状態を示す斜視図である。
【図４】図４は同じく他の形式の刈払機に取付けた状態を示す斜視図である。
【図５】図５は同じく使用状態を示し、固定レバーおよび補助レバーともにアイドル位置を示す拡大平面図である。
【図６】図６は同じく使用状態を示し、固定レバーおよび補助レバーともに中間位置を示す拡大平面図である。
【図７】図７は同じく使用状態を示し、中間位置から固定レバーに対して補助レバーをエンジンの高速回転側に回動した状態を示す拡大平面図である。
【図８】図８は同じく使用状態を示し、アイドル位置から固定レバーに対して補助レバーをエンジンの高速回転側に回動した状態を示す拡大平面図である。
【図９】図９は同じく使用状態を示し、固定レバーと補助レバーとを高速回転側に回動した状態を示す拡大平面図である。
【図１０】図１０は同じく本実施形態を構成する補助レバーに対してインナーワイヤーを取付けた状態を示す拡大裏面図である。
【発明を実施するための形態】
【００２２】
以下、本発明の実施の形態につき、図を参照して詳細に説明する。
【００２３】
本実施形態では、例えば刈払機に適用されたものであり、そのハンドル２またはハンドル２近くに取付けられる取付ベース１と、前記取付ベース１にばね材３の弾性押圧力を介して軸体４により回転可能に軸着される操作レバー５と、スロットルワイヤー６のインナーワイヤー６Ａが捲き回される胴部を有し、前記インナーワイヤー６Ａの先端部が固着される緊結子としてのタイコ７を備えた刈払機Ａにおけるエンジンのスロットルレバー装置である点は特許文献１に記載のスロットルレバー装置、および特許文献２に記載の刈払い機等のエンジンのスロットルレバー装置と同様の技術的思想である。なお、刈払機Ａには、図３に示すようなツーグリップ形式のもの、または図４に示すようなハンドル形式のものがある。
【００２４】
しかしながら、本実施形態では、前記操作レバー５が固定レバー５Ａであり、前記取付ベース１と前記固定レバー５Ａとの間に重合して配設され、常時エンジン（図には示さず）の低速側Ｌに附勢される補助レバー９、および前記固定レバー５Ａが、共用の前記軸体４により前記取付ベース１に回動可能に設けられ、前記固定レバー５Ａと前記取付ベース１との対向面には、前記固定レバー５Ａと前記取付ベース１との対向面の何れか一方に設けられた突起１０と、他方には前記突起１０が移動可能に挿入され且つ前記突起１０が係止可能な係止壁面１１,１１を左右の内側端に設けた係止受け部１２と、よりなり、前記固定レバー５Ａの回動範囲を規定する第１係止手段１３が設けられ、前記固定レバー５Ａと前記補助レバー９との対向面には、前記固定レバー５Ａと前記補助レバー９との対向面の何れか一方に設けられた突起１４と、他方には前記突起１４が移動可能に挿入され且つ前記突起１４が係止可能に左右の内側端に設けた係止壁面１５,１５を内側端に有する係止受面２１と、よりなり、前記補助レバー９が前記固定レバー５Ａと一緒に連繋してアイドル位置Ｉと高速位置Ｈとの間を回動可能に設けられるとともに、前記補助レバー９が任意の位置でエンジンの高速回転側Ｈに単独で回動可能になる第２係止手段１６が設けられている。
【００２５】
前記エンジンは、例えばリコイルスターターや燃料タンクを備えた小型空冷２サイクルガソリンエンジンが使用される。
【００２６】
前記固定レバー５Ａは、図では平面視円形の基部５Ｂの一側に外周の軸方向に延在された側面Ｌ字状の操作部５Ｃが形成されている。また、前記補助レバー９は平面視円環状の後記基体部２０の一側に前記操作部５Ｃに重合可能に外周の軸方向に延在された側面Ｌ字状の操作部２０Ａが形成されている。これらの前記操作部５Ｃ,および前記操作部２０Ａは、横断面略半円形に形成され、外周には滑り止めが設けられている。
【００２７】
前記ばね材３としては、図に示す実施形態では円環状の板ばねが使用されるが、これは代表的な例示であり、図示するものに限らず、ばね材３としてはコイルばねを用いて附勢するようにしてもよい。そして、前記固定レバー５Ａと、前記補助レバー９とは、固定レバー５Ａの上面に前記ばね材３、その中央に挿入孔が開設された略皿状のばね押さえ材３Ａを介して前記軸体４としてのスクリュウの先端部を前記取付ベース１にねじ止めすることにより回動可能に組付けられる。また、前記補助レバー９は低速側Ｌに附勢されるが、この附勢力は、タイコ７により補助レバー９に緊結されるインナーワイヤー６Ａの他端が連結されたキャブレターのばね（図には示さず）により常時低速側Ｌに附勢されているが、これは代表的な例示であり、補助レバー９を常時、低速側Ｌに附勢力を得るのには、例えば軸体４に一端を掛止させたねじりばね（図には示さず）により低速側Ｌへの附勢力を作用させることもできる。また、前記固定レバー５Ａの基部５Ｂは、図では平面視円形に、しかも、補助レバー９の基体部２０は平面視円環状に、それぞれ形成されているが、図示するものは、代表的な例示であり、これに限ることなく、例えば楕円形や多角形であってもよい。
【００２８】
前記第１係止手段１３が、前記取付ベース１に前記軸体４を取付けるために設けられた略筒状の軸受け部材１７の上面外周に突出する第１係止突起部１０Ａと、前記固定レバー５Ａの基体凹部１８の中心部近傍に設けられて前記第１係止突起部１０Ａが係止可能な前記係止壁面１１,１１を左右の内側端に有する略扇形の切欠き部１９と、により構成されている。この前記第１係止手段１３の前記第１係止突起部１０Ａ、および前記切欠き部１９は、図では軸周りに２個１対が設けられている。また、この切欠き部１９の設置長さは、第１係止突起部１０Ａの可動範囲を考慮して増減変更は自由に行える。
【００２９】
また、前記第２係止手段１６が、前記補助レバー９の略環状の基体部２０の上面外周に突出された第２係止突起部１４Ａと、前記固定レバー５Ａの対応個所に設けられて前記第２係止突起部１４Ａが係止可能な前記係止壁面１５,１５を内端に有する略円弧状の案内溝２１と、により構成されている。前記第２係止手段１６の前記第２係止突起部１４Ａおよび前記案内溝２１は、軸周りに数対が設けられている。また、この案内溝２１の設置長さは、第２係止突起部１４Ａの可動範囲を考慮して増減変更は自由に行える。
【００３０】
＜アイドル位置操作について＞
本実施形態の刈払機におけるエンジンのスロットルレバー装置は上記構成からなり、図５に示すように、固定レバー５Ａと、補助レバー９とは平面視重合された状態にあり、取付ベース１に対して固定レバー５Ａと、補助レバー９とは、ばね材３の附勢力を受けてがたついたり、不用意に回動することなく、アイドル位置Ｉに保持されている。
【００３１】
この時、前記補助レバー９は、例えばタイコ７、インナーワイヤー６Ａを介してキャブレターのばね（図には示さず）により常時低速側Ｌに附勢されているので、固定レバー５Ａがアイドル位置Ｉにあれば、補助レバー９もアイドル位置Ｉにて固定レバー５Ａに平面視重合され、草刈作業でのハンドル操作に邪魔にならずにコンパクトになっている。そして、固定レバー５Ａは、第１係止手段１３の取付ベース１に軸体４を取付けるために設けられた略筒状の軸受け部材１７の上面外周に突出する突起としての第１係止突起部１０Ａが、前記固定レバー５Ａの基体凹部１８の中心部近傍に設けられた係止受け部としての略扇形の切欠き部１９の左右の内側端に有する係止壁面１１の何れかに係止されているので、アイドル位置Ｉより低速側Ｌには移動しない。
【００３２】
図８は、アイドル位置Ｉに位置する固定レバー５Ａに対して補助レバー９を高速側Ｈに軸体４を中心に回動することにより、エンジンのスロットル開度を開いた状態であり、この補助レバー９の回動操作は、前記補助レバー９の略環状の基体部２０の上面外周に突出された第２係止手段１６の第２係止突起部１４Ａを固定レバー５Ａの対応個所に設けた略円弧状の案内溝２１の内端に有する係止壁面１５に係止することにより行われる。操作は、図３に示す刈払機、または図４に示す刈払機のハンドル２を４指にて握持した状態で親指にて行う。このように、高速側Ｈに回動操作した補助レバー９から操作する親指を離せば、タイコ７、インナーワイヤー６Ａを介してキャブレターのばね（図には示さず）により常時低速側Ｌに附勢されている補助レバー９がアイドル位置Ｉに復帰するので、手をスロットルレバーから離してもスロットルレバーがばね材の付勢力によりアイドル位置より高速側に保持されたままで、アイドル位置には戻らないという特許文献１に記載のスロットルレバー装置とは異なり、鋸刃が不用意に回転することなく、安全である。
【００３３】
＜中間位置操作について＞
また、図６に示すように、固定レバー５Ａを軸体４を中心にアイドル位置Ｉ（図５参照）から、高速側Ｈの中間位置Ｎに回動操作すると、第２係止手段として固定レバー５Ａと前記補助レバー９との対向面の何れか一方、図示する実施形態では補助レバー９の略環状の基体部２０の上面外周に突出された突起としての第２係止突起部１４Ａが、固定レバー５Ａの対応個所に設けられた略円弧状の案内溝２１の係止壁面１５に係止されているので、固定レバー５Ａに連繋して補助レバー９も重合された状態で軸体４を中心にアイドル位置Ｉから高速側Ｈの中間位置Ｎに回転され、ばね材３の附勢力を受けてがたついたり、不用意に回動することなく、保持される。従って、スロットルレバーをハーフスロットルを越える位置まで押し込むことにより、ロック釦の係止突部をスロットルレバーの第２の係止部に係止させ、スロットルレバーをハーフスロットル位置に保持させるという特許文献２に記載の刈払い機等のエンジンのスロットルレバー装置とは異なり、補助レバー９の中間保持操作が容易になる。しかも、本実施形態のスロットルレバー装置は、固定レバー５Ａと、補助レバー９とを、共用の軸体４により回動可能に軸着し、固定レバー５Ａは、第１係止手段１３の突起としての第１係止突起部１０Ａが、前記固定レバー５Ａの基体凹部１８の中心部近傍に設けられた係止受け部としての略扇形の切欠き部１９内に、その左右の内側端に有する係止壁面１１の何れかに係止可能に挿入されるとともに、補助レバー９の略環状の基体部２０の上面外周に突出された突起としての第２係止突起部１４Ａが、固定レバー５Ａの対応個所に設けられた略円弧状の案内溝２１内に係止壁面１５に係止可能に挿入することにより、組付けられるので、簡単な構成により、製作および組付けは安価になる。
【００３４】
そして、補助レバー９の外周の軸方向Ｘに延在された側面Ｌ字状の操作部２０Ａを操作することにより、補助レバー９を中間位置Ｎから低速側Ｌのアイドル位置Ｉに回動操作されると、前述の第２係止手段１６として、固定レバー５Ａと補助レバー９との対向面の何れか一方、図示する実施形態では補助レバー９の略環状の基体部２０の上面外周に突出された突起としての第２係止突起部１４Ａが、固定レバー５Ａの対応個所に設けられた略円弧状の案内溝２１の係止壁面１５に係止されているので、補助レバー９が中間位置Ｎから低速側Ｌのアイドル位置Ｉに回動操作されるのに連繋して固定レバー５Ａも重合された状態で軸体４を中心に高速側Ｈの中間位置Ｎからアイドル位置Ｉに回動操作されて戻る。従って、低速側Ｌへの操作面積を広く採ることができるため、操作が容易になり、安全である。
【００３５】
＜補助レバー９の高速側における操作＞
そして、草刈作業中に草が密生していたり、硬い草が生えている等して負荷が増大する場合に、その回転数を上げるのには、補助レバー９を親指により図６に示す中間位置Ｎから、図７に示すように軸部４を中心に高速側Ｈに回動操作すると、第２係止手段としての第２係止突起部１４Ａが、固定レバー５Ａの対応個所に設けられた略円弧状の案内溝２１内を移動するので、補助レバー９は図に示すように移動するが、固定レバー５Ａは中間位置Ｎを維持して止まり、補助レバー９を親指操作するだけで容易かつ迅速に負荷の増加に対応してエンジンの回転数を上げて草刈を続行できる。
【００３６】
そして、草の密生個所を刈取ったり、または硬い性状の草を刈り取ることにより、負荷が減少すると、そのままではエンジンの回転が上がったままになり、危険であるとともに、燃料の消費が増加するので、エンジンの回転を減少させたい時には、図７に示す状態において、補助レバー９から親指を放つと、補助レバー９はタイコ７により緊結されているインナーワイヤー６Ａを介してキャブレターのばね（図には示さず）により常時低速側Ｌに附勢されていることにより中間位置Ｎに容易かつ確実に回動して戻すことができ、補助レバー９の中間保持操作が容易になる。
【００３７】
このように、草刈作業中に草の背丈の高低、草が密生しているか、まばらに生えているか否か、背が硬いか、柔らかいか等の理由から、負荷が増大してエンジンの回転を上げる場合、または、負荷が減少することにより、そのままではエンジンの回転が上がり、燃料の消費が増加する場合等、負荷の変動に即応して補助レバー９を中間位置Ｎから高速側Ｈに回動操作したり、または高速側Ｈから中間位置Ｎに戻す等の煩雑な操作をきめ細かに行うのに適する。また、補助レバー９は、上記のように高速側Ｈから低速側Ｌへの戻りをばね材３の附勢力により中間位置Ｎに維持されている固定レバー５Ａにより、当該中間位置Ｎから、さらに低速側Ｌへの不用意な回動は規制されるので、特許文献１に記載のスロットルレバー装置および特許文献２に記載の従来の刈払い機等のエンジンのスロットルレバー装置とは異なり、負荷が増大したり、減少する等の変動に応じて容易かつ確実に煩雑な操作や微調整が行え、エンジンの回転の低下により、草が刈り難くなったり、草が巻き付くことなく、操作性が向上すると共に、スロットル開度のきめ細かな設定を可能とし、即応性に優れたものになる。しかも、固定レバー５Ａは中間位置Ｎを常時維持するため、運転中は、絶えずスロットルレバーを弦巻ばねの付勢力に抗して握り込んで操作を行うという特許文献２に記載の従来の刈払い機等のエンジンのスロットルレバー装置とは異なり、疲労は少なく、操作は容易である。
【００３８】
なお、上記説明では、補助レバー９は低速側Ｌに附勢されるが、この附勢力は、タイコ７により補助レバー９に緊結されるインナーワイヤー６Ａの他端が連結されたキャブレターのばね（図には示さず）により常時低速側Ｌに附勢されているが、これは代表的な例示であり、補助レバー９を常時、低速側Ｌに附勢力を得るのには、例えば軸体４に一端を掛止させたねじりばね（図には示さず）により低速側Ｌへの附勢力を作用させることもできる。また、前記固定レバー５Ａの基部５Ｂは、図では平面視円形に、しかも、補助レバー９の基体部２０は平面視円環状に、それぞれ形成されているが、図示するものは、代表的な例示であり、これに限ることなく、例えば楕円形や多角形であってもよい。
【００３９】
また、上記説明では、固定レバー５Ａ、および補助レバー９を回動操作するのに、固定レバー５Ａの操作部５Ｃ、および補助レバー９の操作部２０Ａを親指により操作する場合を代表的に説明したが、これは例示であり、図には示さないが、複数のギヤよりなる動力伝達機構を用いて親指以外の他の指により固定レバー５Ａ、および補助レバー９を回動操作することもできる。
【００４０】
また、図示する上記説明では、刈払機Ａについて代表的に説明したが、本発明はチェーンソーについても容易に適用される。
【産業上の利用可能性】
【００４１】
本発明は刈払機におけるエンジンのスロットルレバー装置に関し、ハンドルまたはハンドル近くに取付けられる取付ベースに固定レバーと、補助レバーとを重合して回動可能に備え、そして、所定位置から所定位置へ、固定レバーと、補助レバーとが協働して回動操作が行えるとともに、負荷が増大するのに対応して補助レバーをエンジンの高速側に単独に回動操作されるようにして簡単かつ確実な操作によりエンジンの回転を上げるようにして、疲労がなく、操作性を向上するとともに、きめ細かな設定を可能として即応性に優れ、さらには、安全性が充分になるという用途・機能に適する。
【符号の説明】
【００４２】
１      取付ベース
２      ハンドル
３      ばね材
３Ａ    ばね押さえ材
４      軸体
５      操作レバー
５Ａ    固定レバー
６Ａ    インナーワイヤー
７      タイコ
９      補助レバー
１０    突起
１０Ａ  第１係止突起部
１１    係止壁面
１２    係止受け部
１３    第１係止手段
１４    突起
１４Ａ  第２係止突起部
１５    係止壁面
１６    第２係止手段
１７    軸受部材
２１    係止受け部
Ａ      刈払機
Ｈ      高速側
Ｌ      低速側
Ｉ      アイドル位置
Ｎ      中間位置
【図１】
2011027086.tif 000003
【図２】
2011027086.tif 000004
【図３】
2011027086.tif 000005
【図４】
2011027086.tif 000006
【図５】
2011027086.tif 000007
【図６】
2011027086.tif 000008
【図７】
2011027086.tif 000009
【図８】
2011027086.tif 000010
【図９】
2011027086.tif 000011
【図１０】
2011027086.tif 000012